(57)【要約】  水晶振動子では、ベースとキャップとが接合されて筐体であるパッケージが構成され、このパッケージ内に内部空間が形成される。この内部空間のベース上に、水晶振動片が保持されるとともに、パッケージの内部空間が気密封止されている。また、このベースへの水晶振動片の搭載について、内部空間内における水晶振動片の＋Ｘ軸方向が設定されている。【特許請求の範囲】
【請求項１】
ベースとキャップとから内部空間を有するパッケージが構成され、前記内部空間内の前記ベース上に圧電振動片が保持された圧電振動デバイスにおいて、
前記内部空間内における前記圧電振動片の＋Ｘ軸方向が設定されたことを特徴とする圧電振動デバイス。
【請求項２】
前記圧電振動片には、前記＋Ｘ軸方向を判別する判別手段が設けられたことを特徴とする請求項１に記載の圧電振動デバイス。
【請求項３】
前記圧電振動片は、基部と、この基部から突出した複数本の脚部とから構成され、
前記判別手段は、前記脚部の突出端部に設けられたことを特徴とする請求項２に記載の圧電振動デバイス。
【請求項４】
前記突出端部には、突出端面と±Ｘ軸側側面とが含まれ、
前記判別手段は、前記突出端面から前記−Ｘ軸側側面にかけて形成された切欠部であることを特徴とする請求項３に記載の圧電振動デバイス。
【請求項５】
前記圧電振動片は、基部と、この基部から突出した複数本の脚部とから構成され、
前記脚部に、異電位で構成された励振電極が形成され、
前記基部および前記脚部に、前記励振電極を前記基部で外部電極と電気的に接続させるために前記励振電極から引き出された引出電極が形成され、
前記基部の表側主面に、少なくとも一つの側面から±Ｘ軸方向に沿って溝部が形成されたことを特徴とする請求項１乃至４のうちいずれか１つに記載の圧電振動デバイス。
【請求項６】
前記基部の表側主面には、前記溝部が±Ｙ軸方向に沿って複数形成されたことを特徴とする請求項５に記載の圧電振動デバイス。
【請求項７】
前記溝部の少なくとも１つの前記±Ｘ軸方向の寸法は、その前記±Ｙ軸方向側に隣接する他の前記溝部の前記±Ｘ軸方向の寸法より長いことを特徴とする請求項６に記載の圧電振動デバイス。
【請求項８】
前記表側主面の前記溝部が形成された部位に対向する前記基部の裏側主面の対向部位で、前記引出電極と外部電極とが電気的に接続されることを特徴とする請求項５乃至７のうちいずれか１つに記載の圧電振動デバイス。
【請求項９】
内部空間を有するパッケージをベースとキャップとから構成し、前記内部空間内の前記ベース上に圧電振動片を保持する圧電振動デバイスの製造方法において、
前記内部空間内における前記圧電振動片の＋Ｘ軸方向を設定する設定工程と、
前記設定工程で設定した前記＋Ｘ軸方向に前記圧電振動片の前記＋Ｘ軸方向をあわせて前記圧電振動片を前記ベース上に保持する保持工程と、を有することを特徴とする圧電振動デバイスの製造方法。
【請求項１０】
前記圧電振動片の前記＋Ｘ軸方向を判別する判別工程を有することを特徴とする請求項９に記載の圧電振動デバイスの製造方法。
【発明の詳細な説明】
【技術分野】
【０００１】
本発明は、圧電振動デバイス及びその製造方法に関する。
【背景技術】
【０００２】
現在、圧電振動デバイスとして、例えば、音叉型水晶振動子（以下、水晶振動子という）などが挙げられる。この種の圧電振動デバイスでは、その筐体がベースとキャップとから構成され、筐体内部は気密封止されている。また、この筐体内部では、水晶振動片が、ベース上の電極パッドに導電性接着剤を介して接合されている。【０００３】
この水晶振動片は、その基板が、基部と、この基部から突出した２本の脚部とから構成されてなり、異電位で構成された励振電極が脚部に形成されている。また、基板には、基部において励振電極を電極パッドと電気的に接続させるための引出電極が形成されている。この引出電極は、励振電極から引き出し形成されている（例えば、特許文献１ご参照）。
【特許文献１】特開２００４−２００９１０号公報
【発明の開示】
【発明が解決しようとする課題】
【０００４】
ところで、上記したような水晶振動子の耐衝撃性を測るために、水晶振動子を落下させて、落下前後の水晶振動子の特性（周波数や抵抗値（ＣＩ値）など）の変動量を測定すると、落下衝撃により、落下前後の水晶振動子の特性に変動が見られる。特に、周波数変動は、導電性接着剤を介した水晶振動片と電極パッドとの接着状態に起因し、周波数が低くなる。【０００５】
そこで、上記課題を解決するために、本発明は、衝撃時の周波数変動を抑えた圧電振動デバイスおよびその製造方法を提供することを目的とする。
【課題を解決するための手段】
【０００６】
上記の目的を達成するため、本発明にかかる圧電振動デバイスは、ベースとキャップとから内部空間を有するパッケージが構成され、前記内部空間内の前記ベース上に圧電振動片が保持された圧電振動デバイスにおいて、前記内部空間内における前記圧電振動片の＋Ｘ軸方向が設定されたことを特徴とする。【０００７】
本発明によれば、前記内部空間内における前記圧電振動片の前記＋Ｘ軸方向が設定されているので、衝撃時の周波数変動を抑えることが可能となる。また、本発明は、他の軸方向（例えば±Ｙ軸，±Ｚ軸など）に限定されるものではないため、他の軸方向を任意の方向に向けることが可能となる。その結果、前記内部空間内における前記圧電振動片の保持設計の自由度を増やすことが可能となる。なお、ここでいう＋Ｘ軸方向とは、＋Ｘ軸方向から数度傾いた＋Ｘ軸方向も含む。すなわち、他の軸方向から＋Ｘ軸方向と認識できる＋Ｘ軸方向のずれは本発明でいう＋Ｘ軸方向の定義に含まれるが、ずれのない＋Ｘ軸方向が好適である。【０００８】
前記構成において、前記圧電振動片には、前記＋Ｘ軸方向を判別する判別手段が設けられてもよい。【０００９】
この場合、前記圧電振動片には前記＋Ｘ軸方向を判別する判別手段が設けられているので、容易に前記内部空間内における前記圧電振動片の保持位置をその前記＋Ｘ軸方向に基づいて設定することが可能となる。そのため、前記圧電振動片の保持位置を間違えることを減らすことが可能となり、その結果、歩留まりを向上させることが可能となる。【００１０】
前記構成において、前記圧電振動片は、基部と、この基部から突出した複数本の脚部とから構成され、前記判別手段は、前記脚部の突出端部に設けられてもよい。【００１１】
この場合、前記圧電振動片は、基部と、この基部から突出した複数本の脚部とから構成され、前記判別手段は、前記脚部の突出端部に設けられているので、前記＋Ｘ軸方向を判別するために、前記圧電振動片全体を判別対象とする必要がなく、判別対象を前記突出端部に限定することが可能となる。その結果、容易に前記圧電振動片の前記＋Ｘ軸方向を判別することが可能となる。【００１２】
前記構成において、前記突出端部には、突出端面と±Ｘ軸側側面とが含まれ、前記判別手段は、前記突出端面から前記−Ｘ軸側側面にかけて形成された切欠部であってもよい。【００１３】
具体的に、前記判別手段は、前記突出端面から前記−Ｘ軸側側面にかけて形成された前記切欠部である。この場合、前記突出端部の前記切欠部の位置を確認することで容易に前記圧電振動片の前記＋Ｘ軸方向を判別することが可能となる。【００１４】
前記構成において、前記圧電振動片は、基部と、この基部から突出した複数本の脚部とから構成され、前記脚部に、異電位で構成された励振電極が形成され、前記基部および前記脚部に、前記励振電極を前記基部で外部電極と電気的に接続させるために前記励振電極から引き出された引出電極が形成され、前記基部の表側主面に、少なくとも一つの側面から±Ｘ軸方向に沿って溝部が形成されてもよい。【００１５】
この場合、前記圧電振動片は、基部と前記複数本の脚部とから構成され、前記脚部に前記励振電極が形成され、前記基部および前記脚部に前記引出電極が形成され、前記基部の表側主面に、少なくとも一つの側面から±Ｘ軸方向に沿って溝部が形成されているので、衝撃時の周波数変動を抑えるのに好適である。具体的に、振動方向に垂直に前記複数の溝部が形成されているので、前記溝部によって、前記脚部から前記基部を介して外部へ伝わる振動漏れを抑制することが可能となる。【００１６】
前記構成において、前記基部の表側主面には、前記溝部が±Ｙ軸方向に沿って複数形成されてもよい。【００１７】
この場合、前記基部の前記表側主面に前記溝部が±Ｙ軸方向に沿って複数形成されているので、前記複数の溝部によって、前記脚部から前記基部を介して外部へ伝わる振動漏れを抑制することが可能となる。また、本発明では、前記溝部が前記±Ｙ軸方向に沿って複数形成されるので、１つの溝部が形成された場合と比較して、前記脚部から前記基部を介して外部へ伝わる振動漏れを抑制するのに好ましい。さらに、本発明では前記溝部が前記±Ｙ軸方向に沿って複数形成されるので、１つの溝部が形成された場合と比較して、前記各溝部の前記±Ｙ軸方向の寸法は短くなるように設定されることが想定される。この場合、１つの溝部が形成された場合と比較して、本発明にかかる圧電振動片の前記基部の強度を上げることが可能となる。【００１８】
前記構成において、前記溝部の少なくとも１つの前記±Ｘ軸方向の寸法は、その前記±Ｙ軸方向側に隣接する他の前記溝部の前記±Ｘ軸方向の寸法より長くてもよい。【００１９】
この場合、前記溝部の少なくとも１つの前記±Ｘ軸方向の寸法は、その前記±Ｙ軸方向向側に隣接する他の前記溝部の前記±Ｘ軸方向の寸法より長いので、前記基部の表側主面に形成される前記引出電極の形成領域を確保することが可能となる。そのため、前記溝部の形成による前記引出電極のショートを防ぐことが可能となる。【００２０】
前記構成において、前記表側主面の前記溝部が形成された部位に対向する前記基部の裏側主面の対向部位で、前記引出電極と外部電極とが電気的に接続されてもよい。【００２１】
この場合、前記表側主面の前記溝部が形成された部位に対向する前記基部の前記裏側主面の対向部位で、前記引出電極と外部電極とが電気的に接続されるので、電極の導通面積によって、温度特性に影響を及ぼすのを抑制することが可能となる。また、製造工程における常温偏差の周波数のバラツキを抑えることが可能となる。【００２２】
すなわち、前記表側主面の前記溝部が形成された部位に対向する前記裏側主面の前記対向部位に前記溝部が形成された場合、前記引出電極だけでなく基板素地にも外部電極（導電性接着剤を介在させた場合、導電性接着剤も含む）が接着する。なお、前記溝部内には電極が形成されないものとする。このとき、前記引出電極の面積が減少することで、結果として前記引出電極と外部電極との導電性接着剤による導通面積が減少するので、温度特性を悪くする傾向にある。ここでいう温度特性とは、温度変化に対する抵抗値（基板に水晶が用いられている場合はＣＩ値）の変動を示す特性で、一部の温度において抵抗値が急激に変化する（ジャンプする）という不具合があった。これに対して、本発明では、前記表側主面の前記溝部が形成された部位に対向する前記裏側主面の前記対向部位に前記溝部が形成されていないので、このような不具合がなく、温度特性に影響を及ぼすのを抑制することが可能となる。【００２３】
上記の目的を達成するため、本発明にかかる圧電振動デバイスの製造方法は、内部空間を有するパッケージをベースとキャップとから構成し、前記内部空間内の前記ベース上に圧電振動片を保持する圧電振動デバイスの製造方法において、前記内部空間内における前記圧電振動片の＋Ｘ軸方向を設定する設定工程と、前記設定工程で設定した前記＋Ｘ軸方向に前記圧電振動片の前記＋Ｘ軸方向をあわせて前記圧電振動片を前記ベース上に保持する保持工程と、を有することを特徴とする。【００２４】
本発明によれば、前記設定工程と前記保持工程とを有するので、衝撃時の周波数変動を抑えることが可能となる。また、本発明は、他の軸方向（±Ｙ軸、±Ｚ軸など）に限定されるものではないため、他の軸方向を任意の方向に向けることが可能となる。その結果、前記内部空間内における前記圧電振動片の保持設計の自由度を増やすことが可能となる。【００２５】
前記方法において、前記圧電振動片の前記＋Ｘ軸方向を判別する判別工程を有してもよい。【００２６】
この場合、前記判別工程を有するので、容易に前記内部空間内における前記圧電振動片の保持位置を前記＋Ｘ軸方向に基づいて設定することが可能となる。そのため、前記圧電振動片の保持位置を間違えることを減らすことができ、その結果、歩留まりを向上させることが可能となる。
【発明の効果】
【００２７】
本発明にかかる圧電振動デバイスおよびその製造方法によれば、衝撃時の周波数変動を抑えることが可能となる。
【図面の簡単な説明】
【００２８】
【図１】図１は、本実施例にかかる、キャップを外した状態の水晶振動子の概略平面図である。
【図２】図２は、本実施例にかかる水晶振動子の内部空間を示した概略側面図である。
【図３】図３（ａ）は、本実施例にかかる水晶振動片の概略平面図である。図３（ｂ）は、本実施例にかかる水晶振動片の概略裏面図である。
【図４】図４は、本実施例の他の例にかかる水晶振動片の概略平面図である。
【図５】図５は、本実施例の別の実施例にかかる、キャップを外した状態の水晶振動子の概略平面図である。
【図６】図６は、本実施例の別の実施例にかかる水晶振動子の内部空間を示した概略側面図である。
【符号の説明】
【００２９】
１  水晶振動子（圧電振動デバイス）
１１  ベース
１２  キャップ
１３  内部空間
２  水晶振動片（圧電振動片）
２２１，２２２  第１，２脚部（脚部）
２３  基部
２３１，２３２  基部の両側端（基部の側面）
２３３  溝部
２４１  表側主面
２４２  裏側主面
２６  突出端部
２６１  突出端面
２６２，２６３  ±Ｘ軸側側面
２６４  切欠部
２７，２８  第１，２励振電極（励振電極）
２９１，２９２  引出電極
【発明を実施するための最良の形態】
【００３０】
以下、本発明の実施の形態について図面を参照して説明する。なお、以下に示す実施例では、圧電振動デバイスとして音叉型水晶振動子に本発明を適用した場合を示す。【００３１】
本実施例にかかる音叉型水晶振動子１（以下、水晶振動子という）は、図１，２に示すように、フォトリソグラフィ法で成形された音叉型水晶振動片２（本発明でいう圧電振動片であり、以下、水晶振動片という）と、この水晶振動片２を保持するベース１１と、ベース１１に保持した水晶振動片２を気密封止するためのキャップ１２とからなる。【００３２】
この水晶振動子１では、図１，２に示すように、ベース１１とキャップ１２とが接合されて筐体であるパッケージが構成され、このパッケージ内に内部空間１３が形成される。この内部空間１３のベース１１上に、水晶振動片２が保持されるとともに、パッケージの内部空間１３が気密封止されている。この際、ベース１１と水晶振動片２とは、導電性接着剤１４を用いて接合されている。【００３３】
次に、この水晶振動子１の各構成について説明する。【００３４】
ベース１１は、図１，２に示すように、底部と、この底部から上方に延出した壁部とから構成される箱状体に形成されている。このベース１１は、セラミック材料からなる平面視矩形状の一枚板上に、セラミック材料の直方体が積層して凹状に一体的に焼成されている。また、壁部は、底部の表面外周に沿って成形されている。この壁部の上面は、キャップ１２との接合領域であり、この接合領域には、キャップ１２と接合するためのメタライズ層（図示省略）が設けられている。【００３５】
また、セラミック材料が積層して凹状に一体的に焼成されたベース１１の内部空間１３における側壁には、図２に示すように、段部１５が形成され、この段部１５上に下記する電極パッド１６１，１６２が形成され、これら電極パッド１６１，１６２上に水晶振動片２が片保持して設けられる。【００３６】
また、内部空間１３内のベース１１の段部１５の表面には、水晶振動片２の励振電極２７，２８（下記参照）と電気的に接続する電極パッド１６１，１６２が形成されている。これら電極パッド１６１，１６２は、それぞれに対応した引回し電極１７１，１７２を介して、ベース１１の裏面１１１に形成される端子電極（図示省略）に電気的に接続され、これら端子電極が外部部品や外部機器の外部電極に接続される。なお、これらの端子電極、電極パッド１６１，１６２、引回し電極１７１，１７２は、タングステン、モリブデン等のメタライズ材料を印刷した後にベース１１と一体的に焼成して形成される。そして、これらの端子電極、電極パッド１６１，１６２、引回し電極１７１，１７２のうち一部のものについては、メタライズ上部にニッケルメッキが形成され、その上部に金メッキが形成されて構成される。【００３７】
キャップ１２は、金属材料からなり、図２に示すように、平面視矩形状の一枚板に成形されている。このキャップ１２は、下面にろう材（図示省略）が形成されており、シーム溶接やビーム溶接等の手法によりベース１１に接合されて、キャップ１２とベース１１とによる水晶振動子１のパッケージが構成される。なお、本実施例でいう内部空間１３とは、キャップ１２とベース１１により気密封止された領域のことをいう。また、キャップ１２をセラミック材料とし、ガラス材料を介して気密封止してもよい。【００３８】
導電性接着剤１４の材料には、複数の銀フィラを含有したシリコンが用いられ、導電性接着剤１４を硬化させることで、複数の銀フィラが結合して導電性物質となる。【００３９】
次に、内部空間１３に配された水晶振動子１の各構成について説明する。【００４０】
水晶振動片２は、図１〜３に示すように、音叉型水晶振動片であり、異方性材料の水晶片である基板２１からエッチング形成される。【００４１】
基板２１は、２本の脚部２２１，２２２（第１脚部，第２脚部）と、基部２３とから構成され、２本の脚部２２１，２２２が基部２３から突出して形成されている。【００４２】
また、第１，２脚部２２１，２２２の両主面（表側主面２４１と裏側主面２４２）には、水晶振動子１の小型化により劣化するＣＩ値を改善させるために、凹溝部２５が形成されている。【００４３】
さらに、水晶振動片２には、＋Ｘ軸方向を判別する判別手段が設けられている。この判別手段は、第１，２脚部２２１，２２２それぞれの突出端部２６に設けられている。なお、ここでいう突出端部には、突出端面２６１と、±Ｘ軸側側面２６２，２６３（図３（ａ）に示す第１，２脚部２２１，２２２それぞれの左側側面が＋Ｘ軸側側面２６２であり、右側側面が−Ｘ軸側側面２６３である）と、表裏側主面２４１，２４２とから構成されている。そして、判別手段は、突出端面２６１から−Ｘ軸側側面２６３にかけて形成された切欠部２６４である。また、ここでいう＋Ｘ軸方向とは、＋Ｘ軸方向から数度傾いた＋Ｘ軸方向も含む。すなわち、他の軸方向から＋Ｘ軸方向と認識できる＋Ｘ軸方向のずれは本実施例でいう＋Ｘ軸方向の定義に含まれるが、ずれのない＋Ｘ軸方向が好適である。【００４４】
この水晶振動片２の表側主面２４１には、異電位で構成された２つの励振電極２７，２８（第１励振電極，第２励振電極）と、これらの第１，２励振電極２７，２８を電極パッド１６１，１６２に電気的に接続させるための引出電極２９１，２９２が形成され、引出電極２９１，２９２は第１，２励振電極２７，２８から引き出されている。そして、引出電極２９１，２９２と電極パッド１６１，１６２が導電性接着剤１４を介して接合されて、引出電極２９１，２９２と電極パッド１６１，１６２とが電気的に接続される。【００４５】
第１励振電極２７は、図３に示すように、第１脚部２２１の表裏側主面２４１，２４２に形成された第１主面電極２７１と、第２脚部２２２の両側面(対向側面等)に形成された第２側面電極２７２とにより構成される。そして、これら第１主面電極２７１と第２側面電極２７２とが引出電極２９１によって接続されている。【００４６】
同様に、第２励振電極２８は、図３に示すように、第２脚部２２２の表裏側主面２４１，２４２に形成された第２主面電極２８１と、第１脚部２２１の両側面(対向側面等)に形成された第１側面電極２８２とにより構成される。そして、これら第２主面電極２８１と第１側面電極２８２とが引出電極２９２によって接続されている。【００４７】
上記した第１，２励振電極２７，２８は、例えば、クロムの下地電極層と、金の上部電極層とから構成された積層薄膜である。この薄膜は、真空蒸着法等の手法により全面に形成された後、フォトリソグラフィ法によりメタルエッチングして所望の形状に形成される。また、上記した引出電極２９１，２９２は、例えば、クロムの下地電極層と、金の中間電極層と、クロムの上部電極層と、から構成された積層薄膜である。この薄膜は、真空蒸着法等の手法により全面に形成された後、フォトリソグラフィ法によりメタルエッチングして所望の形状に形成され、クロムの上部電極層のみが部分的にマスクして真空蒸着法等の手法により形成される。【００４８】
また、基部２３の表側主面２４１に、図３（ａ）に示すように、その両側端２３１，２３２からそれぞれ±Ｘ軸方向に沿って溝部２３３が形成されている。また、両側端２３１，２３２それぞれにおいて、溝部２３３が±Ｙ軸方向に沿って４つずつ形成されている。【００４９】
また、これら溝部２３３の少なくとも一つの±Ｘ軸方向の寸法は、その＋Ｙ軸方向側に隣接する他の溝部２３３の±Ｘ軸方向の寸法より長い。具体的に、基部２３の脚部側に形成されている溝部２３３の±Ｘ軸方向の寸法は、他の溝部２３３の±Ｘ軸方向の寸法より長い。【００５０】
また、基部２３の表側主面２４１の溝部２３３が形成された部位に対向する基部２３の裏側主面２４２の対向部位まで引出電極２９１，２９２が引き出され、この基部２３の裏側主面２４２の対向部位において、引出電極２９１，２９２と電極パッド１６１，１６２とが導電性接着剤１４を介して電気的に接続される。本実施例でいう溝部２３３が形成された部位に対向する基部２３の裏側主面２４２の対向部位とは、溝部２３３に対応する基部２３の裏側主面の対向位置のことをいう（図３参照）。【００５１】
次に、上記した水晶振動片２のパッケージへの搭載に関して以下に図面を参照して説明する。【００５２】
上記したように構成されたベース１１上に水晶振動片２を配する。この時、このベース１１への水晶振動片２の搭載について、内部空間１３内における水晶振動片２の＋Ｘ軸方向を設定する（本発明でいう設定工程）。本実施例では、内部空間１３内における水晶振動片２の配置が、水晶振動片２の＋Ｘ軸方向が図１に示す方向に設定されている。具体的に、内部空間１３内における水晶振動片２が、ベース１１に対して基部２３で片側保持され、さらに、この片側保持された水晶振動片２の基部２３が、図１に示すようにベース１１を平面視してベース１１の下側に配された場合、水晶振動片の＋Ｘ軸方向は、ベース１１の右側から左側に向かう方向に設定される。また、水晶振動片２の＋Ｘ軸方向は、上記した判別手段（切欠部２６４）により判断する（本発明でいう判別工程）。【００５３】
そして、設定工程で設定した＋Ｘ軸方向に水晶振動片２の＋Ｘ軸方向をあわせて水晶振動片２をベース１１上に保持する（本発明でいう保持工程）。この保持工程では、上記した水晶振動片２の引出電極２９１，２９２とベース１１の電極パッド１６１，１６２とを、導電性接着剤１４により接合して、図１に示すように、水晶振動片２を、基部２３においてベース１１に片保持する。【００５４】
保持工程の後に、ベース１１の壁部の上面にキャップ１２を配し、シーム溶接やビーム溶接等の手法により、ろう材を介してキャップ１２とベース１１とを接合し、図２に示すような水晶振動子１を製造する。なお、この水晶振動子１の内部空間１３は、気密封止されている。【００５５】
上記したように、本実施例にかかる水晶振動子１によれば、内部空間１３内における水晶振動片２の＋Ｘ軸方向が予め設定されているので、衝撃時の周波数変動を抑えることが可能となる。また、本実施例にかかる水晶振動片２によれば、内部空間１３内における配置方向が他の軸方向（例えば±Ｙ軸，±Ｚ軸など）に限定されるものではないため、他の軸方向を任意の方向に向けることが可能となる。その結果、内部空間１３内における水晶振動片２の保持設計の自由度を増やすことが可能となる。【００５６】
また、水晶振動片２には＋Ｘ軸方向を判別する判別手段が設けられているので、容易に内部空間内における水晶振動片２の保持位置をその＋Ｘ軸方向に基づいて設定することが可能となる。そのため、水晶振動片２の保持位置を間違えることを減らすことができ、その結果、歩留まりを向上させることが可能となる。【００５７】
また、水晶振動片２は、基部２３と第１，２脚部２２１，２２２とから構成され、判別手段は、第１，２脚部２２１，２２２の突出端部２６に設けられているので、＋Ｘ軸方向を判別するために、水晶振動片２全体を判別対象とする必要がなく、判別対象を突出端部２６に限定することが可能となる。その結果、容易に水晶振動片２の＋Ｘ軸方向を判別することが可能となる。【００５８】
具体的に、判別手段は、突出端面２６１から−Ｘ軸側側面２６３にかけて形成された切欠部２６４である。この場合、突出端部２６の切欠部２６４の位置を確認することで容易に水晶振動片２の＋Ｘ軸方向を判別することが可能となる。【００５９】
また、水晶振動片２は、基部２３と第１，２脚部２２１，２２２とから構成され、第１，２脚部２２１，２２２に第１，２励振電極２７，２８が形成され、基部２３および第１，２脚部２２１，２２２に引出電極２９１，２９２が形成され、基部２３の表側主面２４１に、両側端２３１，２３２から±Ｘ軸方向に沿って溝部２３３が形成されているので、衝撃時の周波数変動を抑えるのに好適である。具体的に、振動方向に垂直に８つの溝部２３３が形成されているので、溝部２３３によって、第１，２脚部２２１，２２２から基部２３へ伝わる振動漏れを抑制することが可能となる。【００６０】
また、基部２３の表側主面２４１の両側端２３１，２３２を含むその近傍に８つの溝部が±Ｙ軸方向に沿って形成されているので、８つの溝部２３３によって、第１，２脚部２２１，２２２から基部２３を介して外部へ伝わる振動漏れを抑制することが可能となる。また、本実施例では、溝部２３３が±Ｙ軸方向に沿って８つ形成されるので、１つの溝部２３３が形成された場合と比較して、第１，２脚部２２１，２２２から基部２３を介して外部へ伝わる振動漏れを抑制するのに好ましい。さらに、本実施例では溝部２３３が±Ｙ軸方向に沿って８つ形成されるので、１つの溝部２３３が形成された場合と比較して、本実施例では各溝部２３３の±Ｙ軸方向の寸法は短くなるように設定されることが想定される。この場合、１つの溝部２３３が形成された場合と比較して、本実施例にかかる水晶振動片２の基部２３の強度を上げることが可能となる。【００６１】
また、基部２３の脚部側に形成されている溝部２３３の±Ｘ軸方向の寸法は、その±Ｙ軸方向側に隣接する他の溝部２３３の±Ｘ軸方向の寸法より長いので、基部２３の表側主面２４１に形成される引出電極２９１，２９２の形成領域を確保することが可能となる。そのため、溝部２３３の形成による引出電極２９１，２９２のショートを防ぐことが可能となる。【００６２】
また、基部２３の表側主面２４１の溝部２３３が形成された部位に対向する裏側主面２４２の対向部位で、引出電極２９１，２９２と電極パッド１６１，１６２とが電気的に接続されるので、電極の導通面積によって、温度特性に影響を及ぼすのを抑制することが可能となる。また、製造工程における常温偏差の周波数のバラツキを抑えることが可能となる。【００６３】
すなわち、表側主面２４１の溝部２３３が形成された部位に対向する裏側主面２４２の対向部位に溝部２３３が形成された場合、引出電極２９１，２９２だけでなく基板素地にも電極パッド１６１，１６２もしくは導電性接着剤１４が接着する。なお、溝部２３３内には電極が形成されないものとする。このとき、引出電極２９１，２９２の面積が減少することで、結果として引出電極２９１，２９２と電極パッド１６１，１６２との導電性接着剤１４による導通面積が減少するので、温度特性を悪くする傾向にある。ここでいう温度特性とは、温度変化に対する抵抗値（基板に水晶が用いられている場合はＣＩ値）の変動を示す特性で、一部の温度において抵抗値が急激に変化する（ジャンプする）という不具合があった。これに対して、本実施例では、表側主面２４１の溝部２３３が形成された部位に対向する裏側主面２４２の対向部位に溝部２３３が形成されていないので、このような不具合がなく、温度特性に影響を及ぼすのを抑制することが可能となる。【００６４】
本実施例にかかる水晶振動子１の製造方法によれば、設定工程と保持工程とを有するので、衝撃時の周波数変動を抑えることが可能となる。また、本実施例にかかる水晶振動片２によれば、内部空間１３内における配置方向が他の軸方向（例えば±Ｙ軸，±Ｚ軸など）に限定されるものではないため、他の軸方向に限定されるものではないため、他の軸方向を任意の方向に向けることが可能となる。例えば、図１に示すような水晶振動片２の第１，２脚部２２１，２２２から基部２３に向けた軸が＋Ｙ軸ではなく、−Ｙ軸であってもよい。その結果、内部空間１３内における水晶振動片２の保持設計の自由度を増やすことが可能となる。【００６５】
また、判別工程を有するので、容易に内部空間１３内における水晶振動片２の保持位置を＋Ｘ軸方向に基づいて設定することが可能となる。そのため、水晶振動片２の保持位置を間違えることを減らすことができ、その結果、歩留まりを向上させることが可能となる。【００６６】
なお、本実施例では、２本の第１，２脚部２２１，２２２から構成されているが、脚部が複数本で構成されていればその本数は限定されるものでなく、例えば、４本の脚部から構成されてもよい。【００６７】
また、本実施例では、基部の表側主面２４１に、その両側端２３１，２３２からそれぞれ±Ｘ軸方向に沿って溝部２３３が形成されているが、これは好適な例であり、これに限定されるものではなく、いずれか一方の側面から±Ｘ軸方向のいずれかの方向に沿って溝部２３３が形成されることで、本発明の作用効果を有することができる。【００６８】
また、本実施例では、両側端２３１，２３２それぞれにおいて、溝部２３３が±Ｙ軸方向に沿って４つずつ（合計８つ）形成されているが、溝部２３３の本数はこれに限定されるものでなく、任意に設定可能である。【００６９】
また、本実施例では、基部の表側主面２４１に、その両側端２３１，２３２からそれぞれ±Ｘ軸方向に沿って溝部２３３が形成されているが、これは好適な例であり、両側端２３１，２３２の近傍であってもよく、厳密に両側端２３１，２３２からそれぞれ±Ｘ軸方向に沿って溝部２３３が形成されていなくてもよい。【００７０】
また、本実施例では、基部２３の脚部側に形成されている溝部２３３の±Ｘ軸方向の寸法は、他の溝部２３３の±Ｘ軸方向の寸法より長いが、これに限定されるものではなく、溝部２３３の少なくとも一つの±Ｘ軸方向の寸法が、その−Ｙ軸方向側に隣接する他の溝部２３３の±Ｘ軸方向の寸法より長ければよい。例えば、図４に示すような溝部２３３であってもよい。この図４に示す溝部２３３の場合、すべての溝部２３３において、溝部２３３の±Ｘ軸方向の寸法は、その−Ｙ軸方向側に隣接する他の溝部２３３の±Ｘ軸方向の寸法より長くなるように設定されている。【００７１】
また、本実施例では、溝部２３３が形成された部位に対向する基部２３の裏側主面２４２の対向部位とは、溝部２３３に対応する基部２３の裏側主面の対向位置としているが、これに限定されるものではなく、溝部２３３に対応する基部２３の裏側主面の対向位置及びその近傍領域を、溝部２３３が形成された部位に対向する基部２３の裏側主面２４２の対向部位としてもよい。【００７２】
また、本実施例では、基部２３に、振動方向と垂直方向に沿って８つの溝部２３３を形成しているが、これは衝撃時の周波数変動を抑えるのに好適な例であり、基部２３の形態は上記した図１〜４に示す形態に限定されるものではなく、衝撃時の周波数変動を抑える基部２３の構成であればよい。例えば、以下に示す別の実施例であってもよい。【００７３】
また、本実施例では、脚部２２１，２２２に対して基部２３の幅方向（±Ｘ軸方向）の寸法が広くなるように設計されているが、これに限定されるものではなく、脚部２２１，２２２と基部２３との幅方向（±Ｘ軸方向）の寸法が同一であってもよい。例えば、以下に示す別の実施例であってもよい。【００７４】
また、本実施例では、内部空間１３内における水晶振動片２の配置方向が図１に示す方向とされているが、これに限定されるものではなく、以下に示す別の実施例にかかる水晶振動片２の内部空間１３内における配置方向であってもよい。【００７５】
別の実施例は、図５，６に示すように、上記した本実施例に対して、水晶振動片２の基板２１の形状、接着剤の種類、および水晶振動子１の内部空間１３内における水晶振動片２の配置方向が異なる。そこで、別の実施例では、上記した実施例１と異なる構成について説明し、他の同一の構成についての説明を省略する。そのため、同一構成による作用効果及び変形例は、上記した実施例と同様の作用効果及び変形例を有する。【００７６】
図５，６に示す水晶振動子１は、水晶振動片２と、水晶振動片２を保持するベース１１と、ベース１１に保持した水晶振動片２を気密封止するためのキャップ１２とからなる。【００７７】
この水晶振動子１では、図５，６に示すように、ベース１１とキャップ１２とが接合されて筐体であるパッケージが構成され、このパッケージ内に内部空間１３が形成される。この内部空間１３のベース１１上に、水晶振動片２が保持されるとともに、パッケージの内部空間１３が気密封止されている。この際、ベース１１と水晶振動片２とは、導電性バンプ１８を用いて接合されている。【００７８】
導電性バンプ１８にはＡｕ等の金属バンプやメッキバンプが用いられ、導電性バンプ１８によりベース１１に水晶振動片２が電気機械的に接合される。もしくは、導電性バンプ１８に半田等の金属バンプやメッキバンプが用いられ、熱接合により導電性バンプ１８を介して水晶振動片２がベース１１に電気機械的に接合される。【００７９】
水晶振動片２の基板２１は、２本の脚部２２１，２２２と、基部２３とから構成され、２本の脚部２２１，２２２が基部２３から突出して形成されている。また、この基板２１では、脚部２２１，２２２と基部２３との幅方向（±Ｘ軸方向）の寸法が同一とされる。すなわち、基板２１の側面が、その脚部２１１，２２２の側面から基部２３の側面２３１，２３２にかけてそれぞれ面一に形成されたストレート形状からなる。【００８０】
また、基部２３には、図５，６に示すように、その表側主面２４１から裏側主面２４２にかけて８つの貫通部２３４が貫通形成されている。具体的に、これら貫通部２３４は、基部２３のその両側端２３１，２３２からそれぞれ±Ｘ軸方向に沿って形成されている。また、これら貫通部２３４は、両側端２３１，２３２それぞれにおいて±Ｙ軸方向に沿って４つずつ形成されている。これら貫通部２３４の少なくとも一つの±Ｘ軸方向の寸法は、その＋Ｙ軸方向側に隣接する他の貫通部２３４の±Ｘ軸方向の寸法より長い。具体的に、基部２３の脚部側に形成されている貫通部２３４の±Ｘ軸方向の寸法は、他の貫通部２３４の±Ｘ軸方向の寸法より長い。【００８１】
次に、上記した水晶振動片２のパッケージへの搭載に関して以下に図面を参照して説明する。【００８２】
上記したように構成されたベース１１上に水晶振動片２を配する。この時、このベース１１への水晶振動片２の搭載について、内部空間１３内における水晶振動片２の＋Ｘ軸方向を設定する（本発明でいう設定工程）。ここでは、内部空間１３内における水晶振動片２の配置が、水晶振動片２の＋Ｘ軸方向が図５に示す方向に設定されている。具体的に、内部空間１３内における水晶振動片２が、ベース１１に対して基部２３で片側保持され、さらに、この片側保持された水晶振動片２の基部２３が、図５に示すようにベース１１を平面視してベース１１の下側に配された場合、水晶振動片の＋Ｘ軸方向は、ベース１１の左側から右側に向かう方向に設定される。また、水晶振動片２の＋Ｘ軸方向は、上記した判別手段（切欠部２６４）により判断する（本発明でいう判別工程）。【００８３】
そして、設定工程で設定した＋Ｘ軸方向に水晶振動片２の＋Ｘ軸方向をあわせて水晶振動片２をベース１１上に保持する（本発明でいう保持工程）。この保持工程では、上記した水晶振動片２の引出電極２９１，２９２とベース１１の電極パッド１６１，１６２とを、導電性バンプ１８により接合して、図５に示すように、水晶振動片２を、基部２３においてベース１１に片保持する。【００８４】
保持工程の後に、ベース１１の壁部の上面にキャップ１２を配し、シーム溶接やビーム溶接等の手法により、ろう材を介してキャップ１２とベース１１とを接合し、図６に示すような水晶振動子１を製造する。なお、この水晶振動子１の内部空間１３は、気密封止されている。【００８５】
上記した別の実施例に示すように、水晶振動片２に貫通部２３４を形成した水晶振動片２をベース１１に接合する場合、導電性接着剤１４ではなく導電性バンプ１８を用いたほうが水晶振動片２のベース１１への電気機械的な接合強度を上げるのに好ましい。また、上記した別の実施例は、上記した本実施例よりも基部２３の図５に示す±Ｙ軸方向の寸法が長いので、上記した別の実施例の構成によれば上記した本実施例に比べて耐衝撃性を考慮しなくてもよく、その結果、溝部２３３ではなく貫通部２３４を設けた場合であっても衝撃時の周波数変動を抑えることが可能となる。【００８６】
なお、本発明は、その精神（主旨）または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。【００８７】
また、この出願は、２００５年８月１０日に日本で出願された特願２００５−２３１７５４号に基づく優先権を請求する。これに言及することにより、その全ての内容は本出願に組み込まれるものである。
【産業上の利用可能性】
【００８８】
本発明は、音叉型水晶振動子などの圧電振動デバイス及びその製造方法に適用できる。
【図１】
2007017992.tif 000002
【図２】
2007017992.tif 000003
【図３】
2007017992.tif 000004
【図４】
2007017992.tif 000005
【図５】
2007017992.tif 000006
【図６】
2007017992.tif 000007
【国際調査報告】
2007017992.tif 000008
2007017992.tif 000009
2007017992.tif 000010